(57)【要約】      （修正有）【課題】タッチパッドにより画素が遮蔽されることなく、画素との重ね合わせによる規則性干渉縞の発生を防止する。【解決手段】繰り返して配列された複数のR画素、G画素及びB画素を含む画素層１０と、画素層１０に設置され、R画素、G画素及びB画素の間の隙間位置に対応してタッチ感応パターン層２０が製造されたパッケージガラス７０と、を備え、タッチ感応パターン層２０とパッケージガラス７０を一体に組み合わせることにより、タッチパッドを別途設置する必要がなく、タッチ感応パターン層２０と各画素の間に重なりがないので、光の効果を遮蔽しなく、画素が遮蔽されない。【選択図】図５
2016038896.tif 000002
【特許請求の範囲】
【請求項１】
繰り返して配列された複数のR画素、G画素及びB画素を含む画素層と、
前記画素層に設置され、前記R画素、G画素及びB画素の間の隙間位置に対応してタッチ感応パターン層が製造されたパッケージガラスと、
を備えることを特徴とするOLEDタッチ表示パネル。
【請求項２】
前記パッケージガラスには偏光板が設けられ、前記タッチ感応パターン層は、モリブデン金属メッシュであることを特徴とする請求項1に記載のOLEDタッチ表示パネル。
【請求項３】
前記R画素、G画素及びB画素の間に画素定義層が設けられることを特徴とする請求項1又は2に記載のOLEDタッチ表示パネル。
【請求項４】
それぞれの間に間隔領域を有し且つそれぞれの色が異なる複数のサブ画素を含む画素層と、
第1方向に沿って前記画素層に設置されたパッケージガラスと、
前記第1方向に沿って前記パッケージガラスに設置された偏光板と、
前記パッケージガラスと偏光板の間に設置され、パターンを有するタッチ感応パターン層と、を備え、前記複数のサブ画素同士の間の間隔領域は、前記第1方向に少なくとも一部が前記タッチ感応パターン層のパターンと重なり、前記タッチ感応パターン層のパターンは前記第1方向に前記複数のサブ画素に重ならないことを特徴とするOLEDタッチ表示パネル。
【請求項５】
前記間隔領域には画素定義層が含まれ、
第1方向に沿って前記偏光板に設置されたOCA光学接着剤層と、
第1方向に沿って前記OCA光学接着剤層に設置されたカバーガラスと、
をさらに備えることを特徴とする請求項4に記載のOLEDタッチ表示パネル。
【請求項６】
前記タッチ感応パターン層は、モリブデン金属メッシュであることを特徴とする請求項4に記載のOLEDタッチ表示パネル。
【発明の詳細な説明】
【技術分野】
【０００１】
本発明は、タッチ技術分野に関し、特にOLEDタッチ表示パネルに関する。
【背景技術】
【０００２】
タッチパネル産業技術の発展は絶え間なく増速するとともに、構造は初期のG／G二層ガラスから単層ガラス（OGS、Touch on Lens、In-cell、On-cellなどを含む）になると同時に、薄膜技術（GIF又はG／F／F）の応用も注目を集め、タッチ技術分野は多様化の状況になる。現在、タッチパネルは主にスマートフォン、タブレットコンピュータなどのような画面サイズの小さい装置に応用されるが、技術の発展に従ってオールインワンパソコン、大サイズのノート型パソコンなどの装置もタッチパネルを採用し始める。従来のタッチ導電性材料は大サイズ画面に適用せず、画面サイズが大きくなるほど処理する必要のあるデータ量も増加するので、インピーダンス値に対する要求もそれに従って向上し、サイズが14インチ以上まで製造されると、ITOの使用が制限され、代替材料として例えばMetal  Mesh、ナノ銀、カーボンナノチューブ、グラフェンなどは注目され、その中にMetal  Mesh及びナノ銀ワイヤの発展はより成熟し、それに、現在、大量生産可能な代替材料として最も有望なものである。
【０００３】
図1〜図4は、従来の3種の異なる技術による表示パネルの模式図である。図1はタッチセンサが設置されない表示パネルの構造模式図である。図2はITOタッチセンサ94が設置された表示パネルの構造模式図である。図3に示すように、該表示パネルは、上から下まで、カバーガラス91、OCA光学接着剤92、偏光板93、ITOタッチセンサ94及びTFT-LCDモジュール95を順次備え、該TFT-LCDモジュール95はカラーフィルターガラス96、画素層97及びバックガラス98をさらに備える。図面から分かるように、ITOタッチセンサ94は画素層97全体に被覆されるので、光学性能に影響することがあり、光学性能を向上させようとすると、ITOタッチセンサ94の厚さを調整する必要があり、このように、抵抗の変化をさらに引き起こし、このため、図2に示すような表示パネルのタッチ形態は抵抗を制御し難い。図4は、従来の金属メッシュ（Metal  Mesh）センサ99が設置された表示パネルの構造模式図である。図面から分かるように、該金属メッシュセンサ99は外部接続型であり、それも画素層全体に被覆されたものであるので、メッシュの遮蔽で光線が遮蔽されることにより、色の輝度が低下し、同時にメッシュの遮蔽は干渉縞をさらに発生する。
【発明の概要】
【課題を解決するための手段】
【０００４】
上記問題に鑑み、本発明は、
繰り返して配列された複数のR画素、G画素及びB画素を備える画素層と、
前記画素層に設置され、前記R画素、G画素及びB画素の間の隙間位置に対応してタッチ感応パターン層が製造されたパッケージガラスと、を備えるOLEDタッチ表示パネルを提供する。
【０００５】
本発明によるOLEDタッチ表示パネルは、タッチ感応パターン層とパッケージガラスを一体に組み合わせることにより、タッチパッドを別途設置する必要がなく、タッチ感応パターン層と各画素の間に重なりがないので、光の効果を遮蔽しなく、画素が遮蔽されなく、このため、色の表示はより完璧で、同時に画素との重ね合わせによる規則性干渉縞の発生を阻止する。従来の技術において別途設置されたタッチパッドが画素層に被覆され、光線が遮蔽されることにより、色の輝度が低下し、光学性能に影響する欠点を避ける。
【０００６】
本発明によるOLEDタッチ表示パネルの更なる改良は、前記パッケージガラスに偏光板が設けられることにある。偏光板により下層金属からの反射を遮蔽し、タッチパッドで反射された外部環境光を効果的に減少し、さらにタッチ感応パターン層の高反射性の懸念を減少させる。
【０００７】
本発明によるOLEDタッチ表示パネルの更なる改良は、前記タッチ感応パターン層がモリブデン金属メッシュであることにある。このため、低インピーダンス及び高透過性の特性を有する。
【０００８】
本発明によるOLEDタッチ表示パネルの更なる改良は、前記R画素、G画素及びB画素の間に画素定義層が設けられることにある。
【０００９】
本発明は、
それぞれの間に間隔領域を有し且つそれぞれの色が異なる複数のサブ画素を含む画素層と、
第1方向に沿って前記画素層に設置されたパッケージガラスと、
前記第1方向に沿って前記パッケージガラスに設置された偏光板と、
前記パッケージガラスと偏光板の間に設置され、パターンを有するタッチ感応パターン層と、を備え、前記複数のサブ画素同士の間の間隔領域は、前記第1方向に少なくとも一部が前記タッチ感応パターン層のパターンと重なるOLEDタッチ表示パネルをさらに提供する。
【００１０】
本発明によるOLEDタッチ表示パネルの更なる改良は、前記タッチ感応パターン層のパターンが、前記第1方向に前記複数のサブ画素に重ならないことにある。
【００１１】
本発明によるOLEDタッチ表示パネルの更なる改良は、前記間隔領域には画素定義層が含まれることにある。
【００１２】
本発明によるOLEDタッチ表示パネルの更なる改良は、前記タッチ感応パターン層がモリブデン金属メッシュであることにある。
【００１３】
本発明によるOLEDタッチ表示パネルの更なる改良は、前記複数のサブ画素が赤色画素、緑色画素及び青色画素を少なくとも含むことにある。
【００１４】
本発明によるOLEDタッチ表示パネルの更なる改良は、
第1方向に沿って前記偏光板に設置されたOCA光学接着剤層と、
第1方向に沿って前記OCA光学接着剤層に設置されたカバーガラスと、をさらに備えることにある。
【図面の簡単な説明】
【００１５】
【図１】図1は従来の技術による表示パネルの第1実施例の模式図である。
【図２】図2は従来の技術による表示パネルの第2実施例の模式図である。
【図３】図3は図2における表示パネルの全体模式図である。
【図４】図4は従来の技術による表示パネルの第3実施例の模式図である。
【図５】図5は本発明によるOLEDタッチ表示パネルの全体模式図である。
【図６】図6は本発明によるOLEDタッチ表示パネルの第1実施例の模式図である。
【図７】図7は本発明によるOLEDタッチ表示パネルの第2実施例の模式図である。
【発明を実施するための形態】
【００１６】
本発明の目的、技術案及び利点をより明確するために、以下、図面及び実施例を参照しながら、本発明をさらに詳しく説明する。ここで記述された具体的な実施例は単に本発明を解釈するためのものであり、本発明を限定するためのものではないことを理解すべきである。
【００１７】
本発明によるOLEDタッチ表示パネルは、
それぞれの間に間隔領域を有し且つそれぞれの色が異なる複数のサブ画素を備え、好ましくは、前記複数のサブ画素が赤色画素、緑色画素及び青色画素を少なくとも含む画素層と、
第1方向に沿って前記画素層に設置されたパッケージガラスと、
前記第1方向に沿って前記パッケージガラスに設置された偏光板と、
前記パッケージガラスと偏光板の間に設置され、パターンを有するタッチ感応パターン層と、
第1方向に沿って前記偏光板に設置されたOCA光学接着剤層と、
第1方向に沿って前記OCA光学接着剤層に設置されたカバーガラスと、を備え、
前記複数のサブ画素同士の間の間隔領域は、前記第1方向に少なくとも一部が前記タッチ感応パターン層のパターンと重なる。
【００１８】
好ましくは、前記タッチ感応パターン層のパターンが前記第1方向に前記複数のサブ画素に重ならない。好ましくは、前記間隔領域には画素定義層が含まれる。好ましくは、前記タッチ感応パターン層がモリブデン金属メッシュである。
【００１９】
具体的には、図面及び実施例を参照しながら、本発明を更に詳しく説明する。図5に示すように、本発明によるOLEDタッチ表示パネルは、
繰り返して配列された複数のR画素110、G画素120及びB画素130を含む画素層10と、
前記画素層10に設置され、図6に示すように、前記R画素110、G画素120及びB画素130の間の隙間位置に対応してタッチ感応パターン層20が製造されたパッケージガラス70と、を備える。好ましくは、前記タッチ感応パターン層20はモリブデン金属メッシュであるので、低インピーダンス及び高透過性の特性を有する。
【００２０】
本発明によるOLEDタッチ表示パネルはタッチ感応パターン層とパッケージガラスを一体に組み合わせることにより、タッチパッドを別途設置する必要がなく、タッチ感応パターン層と各画素の間に重なりがないので、光の効果を遮蔽しなく、画素が遮蔽されなく、このため、色の表示はより完璧で、同時に画素との重ね合わせによる規則性干渉縞の発生を阻止する。従来の技術においてタッチパッドが画素層に被覆され、光線が遮蔽されることにより、色の輝度が低下し、光学性能に影響する欠点を避ける。
【００２１】
再び図5に示すように、具体的には、本発明によるOLEDタッチ表示パネルは、上から下まで、カバーガラス30、OCA光学接着剤40、偏光板50及びOLEDモジュール60を順次備え、該OLEDモジュール60は、パッケージガラス70、パッケージガラス70に製造されたタッチ感応パターン層20、画素層10及びバックガラス80をさらに備える。画素層10のR画素110、G画素120及びB画素130の間に画素定義層140がさらに製造される。偏光板50をパッケージガラス70に設置し、偏光板50により下層金属からの反射を遮蔽し、タッチ感応パターン層20で反射された外部環境光を効果的に減少し、さらにタッチ感応パターン層20の高反射性の懸念を減少させる。
【００２２】
図7に示すように、本発明によるOLEDタッチ表示パネルの第2実施例の模式図であり、図6に示すような実施例に比べて、該実施例において、R画素110、G画素120及びB画素130の間の隙間位置のタッチ感応パターン層20はもっと緊密に製造され、このようにタッチ感応パターン層20を互いに接続して大面積の導電性綱を形成することにより、インピーダンスを低下し、より多くのタッチチップの応用性を増加する。
【００２３】
以上、単に本発明の好ましい実施例のみであり、いずれの形式で本発明を限定するものではなく、本発明は好ましい実施例で以上のように説明したが、本発明を限定するためのものではなく、当業者は、本発明の技術案を逸脱しない範囲に、以上に開示された技術内容を利用していくつかの変更又は修飾を加えて同等変更の等価な実施例を形成することができるが、本発明の技術案の内容から逸脱しない限り、本発明の技術実質に従って上記実施例に対するいずれの簡単な改正、同等変更及び修飾は、いずれも本発明の技術案の範囲に属する。
【図１】
2016038896.tif 000003
【図２】
2016038896.tif 000004
【図３】
2016038896.tif 000005
【図４】
2016038896.tif 000006
【図５】
2016038896.tif 000007
【図６】
2016038896.tif 000008
【図７】
2016038896.tif 000009